(57)【要約】【課題】装飾性の高い日付ラベルを容易に作成可能な印刷画像生成装置、ラベル印刷装置、印刷画像生成方法およびそのプログラムを提供する。【解決手段】ラベル印刷装置１は、複数のモードの中から日付入力モードの指定を受け付けるモード指定受付部１１０と、日付入力モードに指定された場合、日付情報を入力するための日付入力画面と、日付情報に施す文字装飾を選択するための第１選択画面と、日付情報に施す画像装飾を選択するための第２選択画面と、を表示画面に表示させる表示制御部１２０と、日付入力画面に入力された日付情報の文字に第１選択画面で選択された文字装飾を施した第１の画像と、第２選択画面で選択された画像装飾に基づく第２の画像と、を合成した印刷画像を生成する印刷画像生成部１３０と、を備える。【選択図】図５
2018167433.tif 000002
【特許請求の範囲】
【請求項１】
複数のモードの中から日付入力モードの指定を受け付けるモード指定受付部と、
前記日付入力モードに指定された場合、日付情報を入力するための日付入力画面と、前記日付情報に施す文字装飾を選択するための第１選択画面と、前記日付情報に施す画像装飾を選択するための第２選択画面と、を表示画面に表示させる表示制御部と、
前記日付入力画面に入力された前記日付情報の文字に前記第１選択画面で選択された文字装飾を施した第１の画像と、前記第２選択画面で選択された画像装飾に基づく第２の画像と、を合成した印刷画像を生成する印刷画像生成部と、を備えることを特徴とする印刷画像生成装置。
【請求項２】
前記第１選択画面は、前記文字装飾として、書体の種類を選択するための画面であることを特徴とする請求項１に記載の印刷画像生成装置。
【請求項３】
前記第２選択画面は、前記画像装飾として、飾り枠の種類を選択するための画面であることを特徴とする請求項１または２に記載の印刷画像生成装置。
【請求項４】
前記表示制御部は、前記日付入力モードに指定された場合、前記文字装飾および前記画像装飾をランダムに自動決定する第１選択肢、前記第１選択画面および前記第２選択画面でそれぞれ前記文字装飾および前記画像装飾をユーザーが選択する第２選択肢、のいずれかを選択するための第３選択画面を前記表示画面に表示させ、
前記印刷画像生成部は、前記第３選択画面において前記第１選択肢が選択された場合、前記日付情報の文字に自動決定した文字装飾を施した第１の画像と、自動決定した画像装飾に基づく第２の画像と、を合成した印刷画像を生成することを特徴とする請求項１ないし３のいずれか１項に記載の印刷画像生成装置。
【請求項５】
前記印刷画像生成部は、前記第２選択画面で選択された画像装飾に応じて前記日付情報の文字の配置および文字サイズの少なくとも一方を決定し、決定した前記文字の配置および前記文字サイズの少なくとも一方に基づいて、前記第１の画像を生成することを特徴とする請求項１ないし４のいずれか１項に記載の印刷画像生成装置。
【請求項６】
前記表示制御部は、前記日付情報の文字の配置および文字サイズの少なくとも一方を選択するための第４選択画面を前記表示画面に表示させ、
前記印刷画像生成部は、前記第４選択画面で選択された文字の配置および文字サイズの少なくとも一方に基づいて、前記第１の画像を生成することを特徴とする請求項１ないし４のいずれか１項に記載の印刷画像生成装置。
【請求項７】
前記印刷画像を印刷するダイカットラベル用紙のダイカット形状を示すラベル情報を検出するラベル情報検出部を備え、
前記表示制御部は、検出された前記ダイカット形状に応じて、前記第２選択画面に表示する画像装飾の選択肢を変更することを特徴とする請求項１ないし６のいずれか１項に記載の印刷画像生成装置。
【請求項８】
複数のモードの中から日付入力モードの指定を受け付けるモード指定受付部と、
前記日付入力モードに指定された場合、日付情報を入力するための日付入力画面と、前記日付情報に施す文字装飾を選択するための第１選択画面と、前記日付情報に施す画像装飾を選択するための第２選択画面と、を表示画面に表示させる表示制御部と、
前記日付入力画面に入力された前記日付情報の文字に前記第１選択画面で選択された文字装飾を施した第１の画像と、前記第２選択画面で選択された画像装飾に基づく第２の画像と、を合成した印刷画像を生成する印刷画像生成部と、
前記印刷画像をラベル用媒体に印刷する印刷部と、を備えることを特徴とするラベル印刷装置。
【請求項９】
印刷画像生成装置が、
複数のモードの中から日付入力モードの指定を受け付けるステップと、
前記日付入力モードに指定された場合、日付情報を入力するための日付入力画面と、前記日付情報に施す文字装飾を選択するための第１選択画面と、前記日付情報に施す画像装飾を選択するための第２選択画面と、を表示画面に表示させるステップと、
前記日付入力画面に入力された前記日付情報の文字に前記第１選択画面で選択された文字装飾を施した第１の画像と、前記第２選択画面で選択された画像装飾に基づく第２の画像と、を合成した印刷画像を生成するステップと、を実行することを特徴とする印刷画像生成方法。
【請求項１０】
コンピューターに、請求項９に記載の印刷画像生成方法における各ステップを実行させるためのプログラム。
【発明の詳細な説明】
【技術分野】
【０００１】
本発明は、日付を印刷するための印刷画像を生成する印刷画像生成装置、ラベル印刷装置、印刷画像生成方法およびそのプログラムに関する。
【背景技術】
【０００２】
従来、この種の技術として特許文献１が知られている。特許文献１には、日付および時刻の少なくとも一方を計時し、その計時結果である日時情報をパスワードの入力を条件として編集可能とし、編集後の日時情報を印刷媒体に印刷する印刷装置が開示されている。
【先行技術文献】
【特許文献】
【０００３】
【特許文献１】特開２０１０−９４８２６号公報
【発明の概要】
【発明が解決しようとする課題】
【０００４】
ところで、近年、日記や手帳に貼付する日付ラベル（日付シール）が注目されている。日付ラベルとは、日付の文字や枠を装飾したラベルであり、日記や手帳の見栄えを向上させるために用いられる。このような日付ラベルを手軽に作成したいという要望があるが、従来の技術では、日付ラベルに装飾を施すための工夫が為されていなかった。
【０００５】
本発明は、上記の問題点に鑑み、装飾性の高い日付ラベルを容易に作成可能な印刷画像生成装置、ラベル印刷装置、印刷画像生成方法およびそのプログラムを提供することを目的とする。
【課題を解決するための手段】
【０００６】
本発明の印刷画像生成装置は、複数のモードの中から日付入力モードの指定を受け付けるモード指定受付部と、日付入力モードに指定された場合、日付情報を入力するための日付入力画面と、日付情報に施す文字装飾を選択するための第１選択画面と、日付情報に施す画像装飾を選択するための第２選択画面と、を表示画面に表示させる表示制御部と、日付入力画面に入力された日付情報の文字に第１選択画面で選択された文字装飾を施した第１の画像と、第２選択画面で選択された画像装飾に基づく第２の画像と、を合成した印刷画像を生成する印刷画像生成部と、を備えることを特徴とする。
【０００７】
本発明の印刷画像生成方法は、印刷画像生成装置が、複数のモードの中から日付入力モードの指定を受け付けるステップと、日付入力モードに指定された場合、日付情報を入力するための日付入力画面と、日付情報に施す文字装飾を選択するための第１選択画面と、日付情報に施す画像装飾を選択するための第２選択画面と、を表示画面に表示させるステップと、日付入力画面に入力された日付情報の文字に第１選択画面で選択された文字装飾を施した第１の画像と、第２選択画面で選択された画像装飾に基づく第２の画像と、を合成した印刷画像を生成するステップと、を実行することを特徴とする。
【０００８】
本発明のプログラムは、コンピューターに、上記の印刷画像生成方法における各ステップを実行させることを特徴とする。
【０００９】
本発明の構成によれば、日付入力画面に日付情報を入力し、第１選択画面で文字装飾を選択し、第２選択画面で画像装飾を選択する、といった簡単な操作で、日付情報に文字装飾および画像装飾を施した印刷画像を生成することができる。また、この印刷画像をラベル用媒体に印刷することで、装飾性の高い日付ラベルを作成することができる。
【００１０】
上記の印刷画像生成装置において、第１選択画面は、文字装飾として、書体の種類を選択するための画面であることを特徴とする。
【００１１】
本発明の構成によれば、日付情報の文字をユーザーの好みの書体とすることができる。
【００１２】
上記の印刷画像生成装置において、第２選択画面は、画像装飾として、飾り枠の種類を選択するための画面であることを特徴とする。
【００１３】
本発明の構成によれば、日付情報にユーザーの好みの飾り枠を付加することができる。
【００１４】
上記の印刷画像生成装置において、表示制御部は、日付入力モードに指定された場合、文字装飾および画像装飾をランダムに自動決定する第１選択肢、第１選択画面および第２選択画面でそれぞれ文字装飾および画像装飾をユーザーが選択する第２選択肢、のいずれかを選択するための第３選択画面を表示画面に表示させ、印刷画像生成部は、第３選択画面において第１選択肢が選択された場合、日付情報の文字に自動決定した文字装飾を施した第１の画像と、自動決定した画像装飾に基づく第２の画像と、を合成した印刷画像を生成することを特徴とする。
【００１５】
本発明の構成によれば、ユーザーは、第３選択画面にて第１選択肢を選択することにより、第１選択画面および第２選択画面における選択操作を省略することができる。また、文字装飾および画像装飾がランダムに自動決定されるため、変化に富んだ印刷画像を生成することができる。
【００１６】
上記の印刷画像生成装置において、印刷画像生成部は、第２選択画面で選択された画像装飾に応じて日付情報の文字の配置および文字サイズの少なくとも一方を決定し、決定した文字の配置および文字サイズの少なくとも一方に基づいて、第１の画像を生成することを特徴とする。
【００１７】
本発明の構成によれば、選択した画像装飾に応じて、日付情報の文字の配置および文字サイズの少なくとも一方が決定されるため、ユーザーは、これらの選択操作を省略することができる。
【００１８】
上記の印刷画像生成装置において、表示制御部は、日付情報の文字の配置および文字サイズの少なくとも一方を選択するための第４選択画面を表示画面に表示させ、印刷画像生成部は、第４選択画面で選択された文字の配置および文字サイズの少なくとも一方に基づいて、第１の画像を生成することを特徴とする。
【００１９】
本発明の構成によれば、日付情報の文字の配置および文字サイズの少なくとも一方をユーザーの好みに応じて選択することができる。
【００２０】
上記の印刷画像生成装置において、印刷画像を印刷するダイカットラベル用紙のダイカット形状を示すラベル情報を検出するラベル情報検出部を備え、表示制御部は、検出されたダイカット形状に応じて、第２選択画面に表示する画像装飾の選択肢を変更することを特徴とする。
【００２１】
本発明の構成によれば、第２選択画面に、ダイカットラベル用紙のダイカット形状に応じた画像装飾の選択肢が表示されるため、ユーザーは、ダイカット形状に適した画像装飾を選択することができる。
【００２２】
本発明のラベル印刷装置は、複数のモードの中から日付入力モードの指定を受け付けるモード指定受付部と、日付入力モードに指定された場合、日付情報を入力するための日付入力画面と、日付情報に施す文字装飾を選択するための第１選択画面と、日付情報に施す画像装飾を選択するための第２選択画面と、を表示画面に表示させる表示制御部と、日付入力画面に入力された日付情報の文字に第１選択画面で選択された文字装飾を施した第１の画像と、第２選択画面で選択された画像装飾に基づく第２の画像と、を合成した印刷画像を生成する印刷画像生成部と、印刷画像をラベル用媒体に印刷する印刷部と、を備えることを特徴とする。
【００２３】
本発明の構成によれば、日付入力画面に日付情報を入力し、第１選択画面で文字装飾を選択し、第２選択画面で画像装飾を選択する、といった簡単な操作で、日付情報に文字装飾および画像装飾を施した装飾性の高い日付ラベルを作成することができる。
【図面の簡単な説明】
【００２４】
【図１】本発明の一実施形態に係るラベル印刷装置の外観斜視図である。
【図２】ラベル印刷装置のハードウェア構成を示すブロック図である。
【図３】日付枠の一例を示す図である。
【図４】日付ラベルの印刷例を示す図である。
【図５】ラベル印刷装置の機能構成を示すブロック図である。
【図６】印刷画像の生成に関する説明図である。
【図７】ラベル作成処理の流れを示す画面遷移図である。
【図８】月入力画面の表示例を示す図である。
【図９】日入力画面の表示例を示す図である。
【図１０】曜日選択画面の表示例を示す図である。
【図１１】おまかせ／こだわり印刷選択画面の表示例を示す図である。
【図１２】日付枠選択画面の表示例を示す図である。
【図１３】日付枠数値入力画面の表示例を示す図である。
【図１４】フォント選択画面の表示例を示す図である。
【発明を実施するための形態】
【００２５】
以下、添付の図面を参照して、本発明の印刷画像生成装置、ラベル印刷装置、印刷画像生成方法およびそのプログラムについて説明する。本実施形態では、「印刷画像生成装置」として、ラベル印刷装置１を採用した場合を例示する。
【００２６】
図１は、本発明の一実施形態に係るラベル印刷装置１の外観斜視図である。ラベル印刷装置１は、装置ケース２により外郭が形成され、装置ケース２上には、各種入力キー・ボタンを備えたキーボード３と、表示画面４１が配設される。また、ラベル印刷装置１には、開閉蓋２１が取り付けられ、その内側にはテープカートリッジＣを装着するためのカートリッジ装着部６が窪入形成されている。
【００２７】
また、装置ケース２の側面には、テープ排出口２２が形成され、このテープ排出口２２には、印刷テープＴを切断するためのテープカッター２３が臨んでいる。そして、テープ排出口２２から印刷済みの印刷テープＴが送り出され、送りを一旦停止させた状態でテープカッター２３により切断されて、短冊状のラベルが作成される。
【００２８】
なお、印刷テープＴは、「ラベル用媒体」の一例である。本実施形態では、ラベルとして、日付情報に文字装飾および画像装飾を施した日付ラベルＬ（図４参照）を作成する。日付情報とは、「月」、「日」および「曜日」の少なくとも１つを含む情報を指す。また、本実施形態では、文字装飾として、書体の種類を選択可能とし、画像装飾として日付枠の枠種類を選択可能とする。なお、日付枠は、「飾り枠」の一例である。
【００２９】
一方、カートリッジ装着部６は、ヘッドカバー６１ａ内に、サーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４と、を備えている。
【００３０】
次に、テープカートリッジＣの構成について説明する。テープカートリッジＣは、カートリッジケース５１内部に、印刷テープＴを巻回したテープリール１７と、インクリボンＲを巻回したリボンリール１９とを収容して構成されている。また、カートリッジケース５１には、上記ヘッドユニット６１を覆うヘッドカバー６１ａが差し込まれるための貫通孔５５が形成されている。また、リボンリール１９に近接してリボン巻き取りリール５４が配置され、リボンリール１９から繰り出されたインクリボンＲは、貫通孔５５を周回するように、リボン巻き取りリール５４に巻き取られる。
【００３１】
一方、印刷テープＴは、裏面に粘着剤層が形成された記録テープと、粘着剤層に覆設された剥離テープとから成り、記録テープを外側にしてロール状に巻回されている。また、印刷テープＴは、テープ種類が異なる複数種のものが用意されており、各カートリッジケース５１には、このうち１種類の印刷テープＴが収容されている。
【００３２】
次に、図２を参照し、ラベル印刷装置１のハードウェア構成について説明する。ラベル印刷装置１は、ハードウェア構成として、キーボード３、表示画面４１、テープ識別センサー２７、ＲＯＭ（Read Only Memory）７０、ＲＡＭ（Random Access Memory）７１、印刷機構７２およびＣＰＵ（Central Processing Unit）７４を備える。
【００３３】
キーボード３は、情報入力や各種設定を行うために用いられる。また、キーボード３には、日付ラベルＬを作成するための日付入力モードを指定する[日付ラベル]ボタン（図示省略）が搭載されている。表示画面４１は、図８ないし図１４に示す画面など各種情報を表示する。
【００３４】
テープ識別センサー２７は、印刷テープＴのテープ種類を検出する。テープ種類は、テープ幅、テープ色、テープ材質、ダイカットラベルのラベル形状およびインクリボンＲのインク色（印刷色）などにより区別される。テープ種類の検出方法としては、テープカートリッジＣに貼付または印刷された画像（バーコード、２次元コード、マトリクスパターンなど）やＲＦＩＤ（Radio Frequency Identification）を読み取る方法、テープカートリッジＣに形成された１以上の孔の有無を検出する方法、などが考えられる。ＣＰＵ７４は、テープ識別センサー２７により検出されたテープ種類が印刷に不適切と判定した場合、その旨を表示画面４１上に表示する。例えば、日付ラベルＬを作成する際は、予め設定された最低テープ幅（例えば、１２ｍｍ）より狭いテープ幅を検出した場合、テープカートリッジＣの交換を促す表示を行う。
【００３５】
ＲＯＭ７０は、不揮発性の記憶領域であり、ラベル印刷装置１のファームウェアや各種設定情報を記憶する。また、ＲＯＭ７０は、ファームウェアの一部として、複数種類の日付枠イメージＩａを記憶する。本実施形態では、図３に示す４種類の日付枠イメージＩａがＲＯＭ７０内に記憶されているものとする。ＲＡＭ７１は、揮発性の記憶領域であり、ＣＰＵ７４のワークエリアとして用いられる。
【００３６】
印刷機構７２は、印刷ヘッド７、テープ送りモーター２６、カッターモーター２５およびテープカッター２３を含む。印刷ヘッド７は、テープリール１７から繰り出された印刷テープＴの記録テープに印刷を行う。テープ送りモーター２６は、テープリール１７から繰り出された印刷テープＴをテープ排出口２２（図１参照）に向けて搬送する駆動源である。カッターモーター２５は、テープカッター２３を駆動し、印刷テープＴを切断する駆動源である。
【００３７】
ＣＰＵ７４は、上記の各構成と連携し、日付ラベルＬを印刷するための印刷画像９０（図６参照）の生成、生成した印刷画像９０の印刷など各種制御を行う。詳細については、後述する。
【００３８】
次に、図３を参照し、ＲＯＭ７０に記憶される日付枠イメージＩａ〜Ｉｄについて説明する。日付枠イメージＩａ〜Ｉｄには、日付情報の文字が配置される文字領域Ｅがそれぞれ設定されている。同図では、日付情報として「月：５月」、「日：１２日」および「曜日：日曜日」が入力された場合の印刷画像イメージ（日付枠イメージ＋文字イメージ）を示している。
【００３９】
本実施形態では、ユーザーにより、日付枠タイプ「１」または「２」の日付枠が選択された場合、文字領域Ｅ１に日付情報の文字が配置される。この場合、ラベル印刷装置１は、左側に大きな文字サイズの「日」を配置し、右側に「日」よりも小さな文字サイズの「月」と「曜日」を上下に並べて配置する。また、ユーザーにより、日付枠タイプ「３」または「４」の日付枠が選択された場合、文字領域Ｅ２に日付情報の文字が配置される。この場合、ラベル印刷装置１は、中央に大きな文字サイズの「日」を配置し、その上下に「日」よりも小さな文字サイズの「月」と「曜日」をそれぞれ配置する。なお、図４に示す日付ラベルＬは、日付枠タイプ「１」の日付枠が選択された場合の印刷例を示したものである。
【００４０】
次に、図５を参照し、ラベル印刷装置１の機能構成について説明する。ラベル印刷装置１は、機能構成として、モード指定受付部１１０、表示制御部１２０、印刷画像生成部１３０および印刷部１４０を備える。
【００４１】
モード指定受付部１１０は、複数のモードの中から日付入力モードの指定を受け付ける。ユーザーは、キーボード３上の[日付ラベル]ボタンを押下することにより、日付入力モードを指定する。なお、複数のモードには、日付入力モード以外に、テキスト入力画面（図示省略）にテキストを入力する通常入力モードが含まれる。
【００４２】
表示制御部１２０は、日付入力モードに指定された場合、日付入力画面Ｄ１（Ｄ１ａ，Ｄ１ｂ，Ｄ１ｃ）、おまかせ／こだわり印刷選択画面Ｄ２、日付枠選択画面Ｄ３（Ｄ３ａ，Ｄ３ｂ）、フォント選択画面Ｄ４など、日付ラベルＬの作成に係る各種画面を表示画面４１に表示させる（図７等参照）。
【００４３】
日付入力画面Ｄ１は、日付情報を入力するための画面であり、月入力画面Ｄ１ａ（図８参照）、日入力画面Ｄ１ｂ（図９参照）および曜日選択画面Ｄ１ｃ（図１０参照）を含む。また、おまかせ／こだわり印刷選択画面Ｄ２（図１１参照）は、日付枠および書体の種類（日付枠と書体との組み合わせ）をランダムに自動決定する選択肢「おまかせ印刷」と、日付枠選択画面Ｄ３およびフォント選択画面Ｄ４でそれぞれ日付枠および書体の種類をユーザーが選択する選択肢「こだわり印刷」、のいずれかを選択するための画面である。なお、「ランダムに自動決定する」とは、無作為抽出法により対象（画像装飾および文字装飾）を抽出することを指す。また、選択肢「おまかせ印刷」は、第１選択肢の一例であり、選択肢「こだわり印刷」は、第２選択肢の一例である。
【００４４】
また、日付枠選択画面Ｄ３は、日付情報に施す画像装飾として日付枠を選択するための画面であり、日付枠イメージ選択画面Ｄ３ａ（図１２参照）および日付枠数値入力画面Ｄ３ｂ（図１３参照）を含む。また、フォント選択画面Ｄ４（図１４参照）は、日付情報に施す文字装飾として書体の種類を選択するための画面である。なお、おまかせ／こだわり印刷選択画面Ｄ２は、第３選択画面の一例であり、日付枠選択画面Ｄ３は、第２選択画面の一例であり、フォント選択画面Ｄ４は、第１選択画面の一例である。
【００４５】
印刷画像生成部１３０は、おまかせ／こだわり印刷選択画面Ｄ２において選択肢「こだわり印刷」が選択された場合、日付入力画面Ｄ１に入力された日付情報の文字に、フォント選択画面Ｄ４で選択された文字装飾を施した第１の画像９１と、日付枠選択画面Ｄ３で選択された画像装飾に基づく第２の画像９２と、を合成した印刷画像９０を生成する（図６参照）。例えば、ユーザーにより日付情報として「５月」、「１２日」、「日曜日」が入力され、日付枠タイプ「１」（図３参照）の日付枠が選択された場合、印刷画像生成部１３０は、図６に示すように、第１の画像９１と第２の画像９２と、を合成した印刷画像９０を生成する。なお、「第１の画像９１と第２の画像９２と、を合成する」とは、第１の画像９１と第２の画像９２を組み合わせる（並べて配置する）だけでなく、重ね合わせてもよい。
【００４６】
また、印刷画像生成部１３０は、おまかせ／こだわり印刷選択画面Ｄ２において選択肢「おまかせ印刷」が選択された場合、日付情報の文字に自動決定した文字装飾を施した第１の画像９１と、自動決定した画像装飾に基づく第２の画像９２と、を合成した印刷画像９０を生成する。
【００４７】
また、印刷画像生成部１３０は、日付枠選択画面Ｄ３で選択された日付枠に応じて日付情報の文字の配置および文字サイズを決定し、決定した文字の配置および文字サイズに基づいて第１の画像９１を生成する。図６の例では、日付枠タイプ「１」の日付枠が選択されているため、日付情報の文字の配置および文字サイズは、図３の文字領域Ｅ１に示すとおりである。つまり、印刷画像生成部１３０は、日付情報の「日」の文字サイズを「大」、「月」と「曜日」の文字サイズを「小」とし、「日」を左側に配置すると共にその右側に「月」と「曜日」を上下に並べて配置することにより、図６に示す第１の画像９１を生成する。
【００４８】
印刷部１４０は、印刷画像生成部１３０により生成された印刷画像９０を印刷テープＴに印刷する。これにより、日付ラベルＬ（図４参照）が作成される。
【００４９】
次に、図７の画面遷移図、および図８ないし図１４の画面表示例を参照し、ラベル作成処理（「印刷画像生成方法」を含む）の流れを説明する。
【００５０】
ラベル印刷装置１は、ユーザーによりキーボード３上の［日付ラベル］ボタンが押下されると、月入力画面Ｄ１ａを表示する（Ｓ０１）。図８に示すように、月入力画面Ｄ１ａでは、１から１２までの数字を入力可能となっている。入力された数字は、月入力画面Ｄ１ａの墨付き括弧内に表示される。なお、符号Ｋは、テキストの入力位置を表すカーソルを示す。
【００５１】
ラベル印刷装置１は、月入力画面Ｄ１ａに数字が入力された後、キーボード３上の［選択］ボタンが押下されると、日入力画面Ｄ１ｂを表示する（Ｓ０２）。図９に示すように、日入力画面Ｄ１ｂでは、１から３１までの数字を入力可能となっている。入力された数字は、日入力画面Ｄ１ｂの墨付き括弧内に表示される。日入力画面Ｄ１ｂにおいてキャンセル操作が行われると、月入力画面Ｄ１ａに戻る。キャンセル操作とは、キーボード３上の［削除］ボタンなど所定のボタンの押下、または複数の所定のボタンの同時押下を指す。なお、以下に説明する他の画面でも、キャンセル操作により１つ前の画面に戻ることができる（図７の「キャンセル」の矢印参照）。
【００５２】
ラベル印刷装置１は、日入力画面Ｄ１ｂに数字が入力された後、キーボード３上の［選択］ボタンが押下されると、曜日選択画面Ｄ１ｃを表示する（Ｓ０３）。図１０に示すように、曜日選択画面Ｄ１ｃでは、日曜から土曜の各曜日に対応する７つの選択肢の中からいずれかの選択肢が選択される。なお、符号８１に示すように、反転表示は、その選択肢が選択状態にあることを示す。また、符号８２の逆三角マークは、表示された選択肢以外の選択肢が存在することを示す。ユーザーは、この逆三角マークが表示されている場合、キーボード３上の［↓］ボタンの押下により、他の選択肢を表示させることができる。
【００５３】
ラベル印刷装置１は、曜日選択画面Ｄ１ｃにおいて、いずれかの選択肢が選択され、キーボード３上の［選択］ボタンが押下されると、おまかせ／こだわり印刷選択画面Ｄ２を表示する（Ｓ０４）。図１１に示すように、おまかせ／こだわり印刷選択画面Ｄ２では、選択肢「おまかせ印刷」と選択肢「こだわり印刷」のいずれかが選択される。おまかせ／こだわり印刷選択画面Ｄ２において選択肢「こだわり印刷」が選択され、キーボード３上の［選択］ボタンが押下されると、日付枠イメージ選択画面Ｄ３ａを表示する（Ｓ０５）。図１２に示すように、日付枠イメージ選択画面Ｄ３ａでは、各日付枠イメージＩａ（日付枠タイプ「１」ないし「４」，図３参照）を示す選択肢と、選択肢「なし」を表示する。選択肢「なし」が選択された場合、ラベル印刷装置１は、第１の画像９１のみの印刷画像９０を生成する。日付枠タイプ「１」以外の選択肢は、キーボード３上の［↓］ボタンの押下により表示される。
【００５４】
一方、ラベル印刷装置１は、日付枠イメージ選択画面Ｄ３ａにおいて、日付枠タイプを示す数字が入力されると、日付枠数値入力画面Ｄ３ｂを表示する（Ｓ０６）。図１３に示すように、日付枠数値入力画面Ｄ３ｂでは、「日付枠」の文字および入力された数字（同図の例では「１」）を点滅表示する。この状態で、［選択］ボタンが押下されると、日付枠イメージ選択画面Ｄ３ａに戻る。日付枠イメージ選択画面Ｄ３ａでは、日付枠数値入力画面Ｄ３ｂで入力された数字に対応する日付枠イメージＩａを選択状態とする。なお、日付枠数値入力画面Ｄ３ｂにおける数値入力後、［選択］ボタンの押下ではなく、キャンセル操作が行われた場合、日付枠イメージ選択画面Ｄ３ａに戻る構成でもよい。
【００５５】
ラベル印刷装置１は、日付枠イメージ選択画面Ｄ３ａにおいて、［選択］ボタンが押下されると、フォント選択画面Ｄ４を表示する（Ｓ０７）。図１４に示すように、フォント選択画面Ｄ４では、複数の書体の種類を選択肢として表示する。選択肢「ベーシック」、「てがき」以外の選択肢（「フォーマル」、「スリム」など）は、キーボード３上の［↓］ボタンの押下により表示される。なお、フォント選択画面Ｄ４の選択肢として、「明朝体」や「ゴシック体」などの基本書体を表示してもよい。
【００５６】
ラベル印刷装置１は、フォント選択画面Ｄ４において、いずれかの選択肢が選択され、キーボード３上の［選択］ボタンが押下されると、印刷実行確認画面（図示省略）を表示する（Ｓ０８）。また、おまかせ／こだわり印刷選択画面Ｄ２において選択肢「おまかせ印刷」が選択され、キーボード３上の［選択］ボタンが押下された場合も、印刷実行確認画面を表示する。印刷実行確認画面では、日付ラベルＬの印刷を実行するか否かを確認するメッセージを表示する。印刷実行確認画面において、ユーザーによりキーボード３上の［選択］ボタンが押下されると、印刷準備中画面（図示省略）を表示する（Ｓ０９）。印刷準備中画面では、印刷準備を行っている旨のメッセージを表示する。その後、ラベル印刷装置１は、印刷準備が整ったところで印刷を実行する。
【００５７】
以上説明したとおり、本実施形態に係るラベル印刷装置１によれば、ユーザーは、日付入力画面Ｄ１に日付情報を入力し、日付枠選択画面Ｄ３で日付枠を選択し、フォント選択画面Ｄ４で書体の種類を選択する、といった簡単な操作で、日付情報に文字装飾および画像装飾を施した装飾性の高い日付ラベルＬを作成することができる。また、ユーザーは、おまかせ／こだわり印刷選択画面Ｄ２にて選択肢「おまかせ」を選択することにより、日付枠選択画面Ｄ３およびフォント選択画面Ｄ４における選択操作を省略することができる。また、選択肢「おまかせ」を選択した場合、文字装飾および画像装飾がランダムに自動決定されるため、変化に富んだ日付ラベルＬを作成することができる。
【００５８】
また、印刷画像生成部１３０により、選択された画像装飾に応じて、日付情報の文字の配置および文字サイズが決定されるため、ユーザーは、これらの選択操作を省略することができると共に、どの日付枠タイプを選択しても文字バランスのよい日付ラベルＬを作成することができる。
【００５９】
なお、上記の実施形態に限らず、以下の変形例を採用可能である。
［変形例１］
上記の実施形態では、印刷画像生成部１３０により、選択された画像装飾に応じて、日付情報の文字の配置および文字サイズを決定したが、表示制御部１２０により、日付情報の文字の配置および文字サイズを選択するための第４選択画面（図示省略）を表示画面４１に表示させ、印刷画像生成部１３０により、第４選択画面で選択された文字の配置および文字サイズに基づいて、第１の画像９１を生成する構成としてもよい。この構成によれば、日付情報の文字の配置および文字サイズをユーザーの好みに応じて選択することができる。
なお、第４選択画面において、日付情報の文字の配置および文字サイズの両方を選択するのではなく、いずれか一方のみを選択可能としてもよい。同様に、上記の実施形態では、印刷画像生成部１３０により選択された画像装飾に応じて、日付情報の文字の配置および文字サイズを決定したが、いずれか一方のみを決定してもよい。
【００６０】
［変形例２］
ラベル印刷装置１の印刷媒体として、ダイカットラベル用紙を利用可能としてもよい。ダイカットラベル用紙とは、所定の形状に型抜きされたラベルが所定の間隔で配置された印刷テープＴを指す。この場合、印刷画像９０を印刷するダイカットラベル用紙のダイカット形状を示すラベル情報を検出するラベル情報検出部（図示省略）を備え、表示制御部１２０により、検出されたダイカット形状に応じて、日付枠イメージ選択画面Ｄ３ａに表示する画像装飾（日付枠）の選択肢を変更してもよい。例えば、ダイカット形状が矩形状の場合、日付枠タイプ「１」ないし「３」を選択肢とし、ダイカット形状が円形状の場合、日付枠タイプ「４」を選択肢としてもよい。また、ラベル情報検出部は、上記の実施形態のラベル印刷装置１の場合、テープ識別センサー２７を用いてラベル情報を検出可能である。この構成によれば、日付枠イメージ選択画面Ｄ３ａに、ダイカットラベル用紙のダイカット形状に応じた画像装飾の選択肢が表示されるため、ユーザーは、ダイカット形状に適した画像装飾を選択することができる。
【００６１】
［変形例３］
ラベル印刷装置１に、カレンダー機能を搭載してもよい（暦情報を記憶する構成でもよい）。この場合、表示制御部１２０は、曜日選択画面Ｄ１ｃ（図１０参照）の表示を省略できる。
また、ラベル印刷装置１に、今日の日付を特定するための計時機能を搭載してもよい。この場合、第１の日付入力モード（上記の実施形態の日付入力モード）と第２の日付入力モード（今日の日付の日付ラベルＬを作成するモード）を設け、［日付ラベル］ボタンが入力された場合は、第１の日付入力モード、［今日ラベル］ボタンが入力された場合は、第２の日付入力モードを指定可能としてもよい。また、第１の日付入力モードが指定された場合、図７に示す各ステップを実行し、第２の日付入力モードが指定された場合、図７に示す各ステップから、Ｓ０１〜Ｓ０３を省略したステップを実行する構成でもよい。つまり、表示制御部１２０は、第２の日付入力モードが指定された場合、日付入力画面Ｄ１（月入力画面Ｄ１ａ、日入力画面Ｄ１ｂおよび曜日選択画面Ｄ１ｃ）の表示を省略できる。
【００６２】
［変形例４］
表示制御部１２０により、日付枠イメージ選択画面Ｄ３ａに表示する日付枠の選択肢を、テープ識別センサー２７により検出された印刷テープＴのテープ幅に応じて変更してもよい。例えば、テープ幅が２４mm以上の場合は、日付枠タイプ「１」ないし「４」の選択肢を表示し、テープ幅が１２mm以上の場合は、日付枠タイプ「３」および「４」の選択肢を表示し、テープ幅が１２mm未満の場合は、日付枠の選択を不可とする、などが考えられる。
【００６３】
［変形例５］
印刷画像生成部１３０により、複数日分の日付ラベルＬを印刷するための印刷画像を生成してもよい。この場合、日付情報として開始日と終了日が入力される。また、この場合、印刷部１４０は、複数枚の日付ラベルＬを連続して印刷する。なお、ラベル間はカットしてもよいし、カットしないでもよい。後者の場合、カット線を印刷してもよい。また、ラベル印刷装置１にハーフカット機能（印刷テープＴの?離テープは切断せず記録テープのみ切断する機能）が搭載されている場合、ラベル間をハーフカットしてもよい。
また、日付情報を月単位で入力可能としてもよい。例えば、日付情報として「１月」が入力（選択）された場合、印刷画像生成部１３０は、１月１日ないし１月３１日までの日付ラベルＬを印刷するための印刷画像を生成する。この場合、曜日に関しては、開始日（この場合、１月１日）の曜日をユーザーに選択させ、選択された曜日から各日付に曜日を割り当てていけばよい。また、ラベル印刷装置１にカレンダー機能が搭載されている場合は、西暦または和暦と月を入力可能としてもよい。この場合、曜日の入力は不要である。さらに、日付情報が月単位で入力された場合、印刷画像生成部１３０により、その月名を表す月ラベル（図示省略）を印刷するための印刷画像を生成してもよい。この場合、印刷部１４０は、選択された月の日数分の日付ラベルＬと、選択された月の月ラベルと、を１回の印刷指示に基づいて印刷する。また、月ラベルと日付ラベルＬとの間は、カットする、カットしない、カット線を印刷する、ハーフカットする、のいずれでもよい。
【００６４】
［変形例６］
印刷画像生成部１３０により、複数日分の日付ラベルＬを印刷するための印刷画像を生成する場合であって、ユーザーにより「おまかせ印刷」が選択された場合、連続して同じ装飾の組み合わせとならないように、文字装飾および画像装飾を決定してもよい。例えば、「文字装飾Ａ」と「文字装飾Ｂ」、「画像装飾Ａ」と「画像装飾Ｂ」がある場合、１日目の日付ラベルＬが「文字装飾Ａ」＋「画像装飾Ａ」の組み合わせで印刷されると、２日目の日付ラベルＬが「文字装飾Ａ」＋「画像装飾Ｂ」、「文字装飾Ｂ」＋「画像装飾Ａ」、「文字装飾Ｂ」＋「画像装飾Ｂ」のうちいずれかの組み合わせで印刷される。また、連続して同じ装飾を用いないように、文字装飾および画像装飾を決定してもよい。この場合、１日目の日付ラベルＬが「文字装飾Ａ」＋「画像装飾Ａ」の組み合わせで印刷されると、２日目の日付ラベルＬが「文字装飾Ｂ」＋「画像装飾Ｂ」の組み合わせで印刷される。
また、日付情報として開始日と終了日が入力された場合や、「月」が入力された場合、その対象期間内で、同じ装飾の組み合わせが存在しないように、文字装飾および画像装飾を決定してもよい。
【００６５】
［変形例７］
上記の実施形態の印刷画像生成部１３０は、ユーザーにより「おまかせ印刷」が選択された場合、文字装飾および画像装飾をランダムに自動決定したが、文字装飾のみ、または画像装飾のみをランダムに自動決定してもよい。
また、変形例６と組み合わせ、文字装飾のみ、または画像装飾のみをランダムに自動決定する場合も、連続して同じ装飾とならないように、文字装飾または画像装飾を決定してもよい。
【００６６】
［変形例８］
上記の実施形態では、文字装飾として「書体の種類」を選択可能としたが、各種文字飾り（強調文字、斜体、白抜き文字、影文字、鏡文字など）を選択可能としてもよい。また、ラベル印刷装置１がカラー印刷に対応している場合、印刷色を選択可能としてもよい。
また、画像装飾として日付枠の種類を選択可能としたが、四角枠、丸枠など、単純な形状の枠を選択可能としてもよい。また、このような飾り枠ではなく、地紋の種類を選択可能としてもよい。また、ラベル印刷装置１がカラー印刷に対応している場合、飾り枠や地紋の色を選択可能としてもよい。
【００６７】
［変形例９］
上記の実施形態では、日付情報として「月」、「日」、「曜日」を印刷したが、「西暦または和暦」を加えてもよい。また、「月」、「日」、「曜日」および「西暦または和暦」のうち、日付情報として印刷する情報を選択可能としてもよい。
また、「月」、「日」、「曜日」および「西暦または和暦」の表記方法を選択可能としてもよい。例えば、「月」の場合、「１月」、「一月」、「睦月」、「むつき」、「Jan」、「JAN」、「January」、「JANUARY」などの中から選択可能としてもよい。
【００６８】
［変形例１０］
上記の実施形態および変形例に示したラベル印刷装置１のハードウェア構成を用いて、図５に示した各機能部を実現するプログラムを提供してもよい。また、そのプログラムを各種記録媒体（ＣＤ−ＲＯＭ、フラッシュメモリーカード等）に格納して提供してもよい。すなわちコンピューターを、ラベル印刷装置１の各機能部として機能させるためのプログラム、およびそれを記録した記録媒体も、本発明の権利範囲に含まれる。また、ラベル印刷装置１の各機能部の少なくとも一部をクラウドコンピューティングで実現してもよい。また、パーソナルコンピューターや、タッチセンサー付きディスプレーを備えたタブレット端末などの各種情報処理装置を、「印刷データ生成装置」として用いてもよい。その他、本発明の要旨を逸脱しない範囲で、適宜変更が可能である。
【符号の説明】
【００６９】
１…ラベル印刷装置（印刷画像生成装置）、１１０…モード指定受付部、１２０…表示制御部、１３０…印刷画像生成部、１４０…印刷部
【図１】
2018167433.tif 000003
【図２】
2018167433.tif 000004
【図３】
2018167433.tif 000005
【図４】
2018167433.tif 000006
【図５】
2018167433.tif 000007
【図６】
2018167433.tif 000008
【図７】
2018167433.tif 000009
【図８】
2018167433.tif 000010
【図９】
2018167433.tif 000011
【図１０】
2018167433.tif 000012
【図１１】
2018167433.tif 000013
【図１２】
2018167433.tif 000014
【図１３】
2018167433.tif 000015
【図１４】
2018167433.tif 000016